【手続補正書】
【提出日】平成19年4月13日(2007.4.13)
【手続補正１】
【補正対象書類名】特許請求の範囲
【補正対象項目名】全文
【補正方法】変更
【補正の内容】
【特許請求の範囲】
【請求項１】
複数の容器を収容するためのカートンであって、
前記カートンの内部の周りに少なくとも部分的に延在するパネルであって、前記パネルはトップパネルと、ボトムパネルと、第１のサイドパネルと、第２のサイドパネルと、を有し、前記複数のパネルのそれぞれのパネルに折り曲げ可能にそれぞれ取り付けられる少なくとも２つの端部フラップであって、前記端部フラップは少なくとも部分的に前記カートンの閉じた端部を形成し、
前記閉じた端部の前記カートン内の前記容器にアクセス可能な開封セクションであって、前記開封セクションは破断ラインにより画定される開口を提供し、前記開封セクションが少なくとも前記トップパネルの部分を有するように、前記破断ラインは少なくとも２つの端部フラップ内に少なくとも部分的に延在し前記トップパネルに対して位置し、
前記端部フラップの各々に前記破断ラインは第１部分及び第２部分を有し、前記開封セクションを開く際、前記第１部分及び第２部分は前記対応する端部フラップ内に略Ｌ字形部を形成するように構成されているカートン。
【請求項２】
前記第２の部分は、前記第１の部分に対してほぼ垂直である請求項１に記載のカートン。
【請求項３】
前記第２の部分は、前記第１の部分に対してある角度で位置し、前記角度は約６０度から約９０度の範囲である請求項１に記載のカートン。
【請求項４】
前記開封セクションは、前記開封セクションを開く際前記カートンに枢着されている請求項１に記載のカートン。
【請求項５】
前記開封セクションは、前記開封セクションを開く際前記カートンから取り外される請求項４に記載のカートン。
【請求項６】
前記トップパネルは前記サイドパネルにそれぞれの長手方向の折り目で折り曲げ可能に接続され、前記長手方向折り目に沿って前記破断ラインが長手方向に延在し、前記開封セクションの幅を画定する請求項１に記載のカートン。
【請求項７】
前記破断ラインは、前記開封セクションが前記トップパネル全体を含むように前記長手方向の折り目に沿って延在する請求項６に記載のカートン。
【請求項８】
脆弱ラインが前記トップパネルを横切り横方向に延在し、前記開封セクションの縁部を画定する請求項６に記載のカートン。
【請求項９】
前記開封セクションは前記トップパネルの一部だけを含む請求項８に記載のカートン。
【請求項１０】
前記脆弱ラインは破断ラインである請求項８に記載のカートン。
【請求項１１】
前記脆弱ラインは折り目である請求項８に記載のカートン。
【請求項１２】
前記破断ラインは、前記開封セクションが少なくとも前記サイドパネルの一部を含むように前記サイドパネルに沿って少なくとも部分的に延在する請求項１に記載のカートン。
【請求項１３】
前記容器は、前記カートン内に積み重ねられた少なくとも２段に配列される容器である、前記複数の容器と組み合わせられる請求項１に記載のカートン。
【請求項１４】
前記積み重ねられた２段は上段及び下段を含み、前記上段は上端容器を含み、前記下段は下端容器を含み、前記上端容器及び前記下端容器は閉じた端部に隣接する請求項１３に記載のカートン。
【請求項１５】
前記開口は、少なくとも約共通の直径の距離だけ前記トップパネル内に延在する請求項１３に記載のカートン。
【請求項１６】
前記容器は２段で６列に配置される請求項１３に記載のカートン。
【請求項１７】
前記容器は３段で４列に配置される請求項１３に記載のカートン。
【請求項１８】
前記開封セクションは少なくとも２つの端部フラップ内に折り目を有し、前記折り目は、前記少なくとも２つの端部フラップ内の前記破断ラインから離間し、前記折り目は、使用者が把持するための開封セクション内にフラップを少なくとも部分的に画定する請求項１に記載のカートン。
【請求項１９】
前記フラップは前記少なくとも２つの端部フラップの部分を含む請求項１８に記載のカートン。
【請求項２０】
さらに、前記トップパネル内にハンドルを備える請求項１に記載のカートン。
【請求項２１】
カートンを形成するブランクであって、
互いに折り曲げ可能に接続される複数のパネルであって、前記カートンが前記カートンから形成されるとき、前記複数のパネルは前記カートンの内部の周りに少なくとも部分的に延在し、前記複数のパネルは、トップパネルと、ボトムパネルと、第１のサイドパネルと、第２のサイドパネルと、を有し、
前記複数のパネルのそれぞれのパネルに折り曲げ可能にそれぞれ取り付けられる少なくとも２つの端部フラップであって、前記カートンが前記ブランクから形成されるとき前記端部フラップは少なくとも部分的に前記カートンの閉じた端部を形成し、
開封セクションを形成する破断ラインと、前記開封セクションが少なくとも前記トップパネルの部分を含むように、前記破断ラインは前記少なくとも２つの端部フラップ内に少なくとも部分的に延在し前記トップパネルに対して位置し、前記端部フラップの各々に、前記破断ラインが第１部及び第２部を有し、前記破断ラインの前記第１及び第２部は、前記開封セクションを開く際に、各前記端部フラップ内に概ねＬ字状部を形成するように構成されているブランク。
【請求項２２】
前記第２の部分は、前記第１の部分に対してほぼ垂直である請求項２１に記載のブランク。
【請求項２３】
前記第２の部分は、前記第１の部分に対してある角度で位置し、前記角度は約６０度から約９０度の範囲である請求項２１に記載のブランク。
【請求項２４】
前記トップパネルは前記サイドパネルにそれぞれの長手方向の折り目に折り曲げ可能に接続され、前記長手方向折り目に沿って前記破断ラインは長手方向に延在し、前記開封セクションの幅を画定する請求項２１に記載のブランク。
【請求項２５】
前記破断ラインは、前記開封セクションが前記トップパネル全体を含むように前記長手方向の折り目に沿って延在する請求項２１に記載のブランク。
【請求項２６】
脆弱ラインは、前記トップパネルを横切るように横方向に延在する請求項２４に記載のブランク。
【請求項２７】
前記開封セクションは前記トップパネルの一部だけを含む請求項２６に記載のブランク。
【請求項２８】
前記脆弱ラインは破断ラインである請求項２６に記載のブランク。
【請求項２９】
前記脆弱ラインは折り目である請求項２５に記載のブランク。
【請求項３０】
前記破断ラインは、前記開封セクションが少なくとも前記サイドパネルの部分を有するように前記サイドパネルに少なくとも部分的に沿って延在する請求項２１に記載のブランク。
【請求項３１】
前記開封セクションは、前記少なくとも２つの端部フラップ内に折り目を有し、前記折り目は前記少なくとも２つの端部プラップ内で前記破断ラインから離間し、前記折り目は少なくとも部分的に前記開封セクションにフラップを画定する請求項２１に記載のブランク。
【請求項３２】
前記フラップは前記少なくとも２つの端部フラップの部分を有する請求項３１に記載のブランク。
【請求項３３】
前記トップパネルにハンドルを備える請求項２１に記載のブランク。
【手続補正２】
【補正対象書類名】図面
【補正対象項目名】図１
【補正方法】変更
【補正の内容】
【図１】
2007508217.tif 000001
【手続補正３】
【補正対象書類名】図面
【補正対象項目名】図２
【補正方法】変更
【補正の内容】
【図２】
2007508217.tif 000002